【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
ＭＥＭＳ表示エレメントの行及び列と、複数の第１及び第２の電極とを有するＭＥＭＳ表示部と、前記各ＭＥＭＳ表示エレメントの状態は、前記第１の電極のうちの１つの第１の電極及び前記第２の電極のうちの１つの第２の電極の間の電圧差に基づいて決定され、各行のＭＥＭＳ表示エレメントは、その行に唯一の共通の第１の電極を共有し、各列のＭＥＭＳ表示エレメントは、その列に唯一の共通の第２の電極を共有し、
各ＭＥＭＳ列スイッチが前記表示部の列のうちの１つに合わせて配置されるように、前記表示部に隣接するＭＥＭＳエレメントの追加的な行として形成された複数のＭＥＭＳ列スイッチと、各ＭＥＭＳ列スイッチは、ＭＥＭＳ列スイッチが配置される表示部列の前記共通の第２の電極に接続され、
各ＭＥＭＳ行スイッチが前記表示部の行のうちの１つに合わせて配置されるように、前記表示部に隣接するＭＥＭＳエレメントの追加的な列として形成された複数のＭＥＭＳ行スイッチと、各ＭＥＭＳ行スイッチは、ＭＥＭＳ行スイッチが配置される表示部行の前記共通の第１の電極に接続され、
を具備する表示装置。
【請求項２】
各ＭＥＭＳ列スイッチは、前記ＭＥＭＳ列スイッチが他の回路に接続される前記共通の第２の電極に電気的にかつ選択的に接続され、かつ前記共通の第２の電極を電気的に３状態にするように構成され、
各ＭＥＭＳ行スイッチは、前記ＭＥＭＳ行スイッチが他の回路に接続される前記共通の第１の電極に電気的にかつ選択的に接続され、かつ前記共通の第１の電極を電気的に３状態にするように構成される請求項１記載の表示装置。
【請求項３】
前記複数のＭＥＭＳスイッチのうちの少なくとも１つは、変形可能な空隙(cavity)ＭＥＭＳスイッチであり、各変形可能な空隙ＭＥＭＳスイッチは、
第１及び第２の端子と、
第１の電極と、及び
前記第１の電極との間の電圧に応答する変形可能なレイヤーとを具備し、前記第１及び第２の端子は選択的に接続可能である請求項１記載の装置。
【請求項４】
前記変形可能なレイヤーは、前記共通の第１の電極のうちの１つ或いは前記共通の第２の電極のうちの１つのいずれかを含む請求項３記載の装置。
【請求項５】
複数のＭＥＭＳスイッチは、行或いは列選択回路の一部を形成する請求項１記載の装置。
【請求項６】
イメージデータを処理するように構成され、前記表示エレメントとの電気通信を行なうプロセッサと、
前記プロセッサと電気通信を行なうメモリデバイスと
をさらに具備する請求項１記載の装置。
【請求項７】
前記ＭＥＭＳ表示エレメントに少なくとも１つの信号を送るように構成されたドライバ回路をさらに具備する請求項６記載の装置。
【請求項８】
前記イメージデータの少なくとも一部を前記ドライバ回路に送信するように構成されたコントローラをさらに具備する請求項７記載の装置。
【請求項９】
前記イメージデータを前記プロセッサに送るように構成されたイメージソースモジュールをさらに具備する請求項６記載の装置。
【請求項１０】
前記イメージソースモジュールは、受信器、送受信機及び送信器のうちの少なくとも１つを有する請求項９記載の装置。
【請求項１１】
入力データを受信し、前記入力データを前記プロセッサと通信するように構成された入力装置をさらに具備する請求項６記載の装置。
【請求項１２】
データに基づいて、イメージを表示するように構成された表示装置において、
行及び列を有し、少なくともイメージの一部をマイクロ電気機械的に表示する手段と、各表示する手段の状態は、第１の電極及び第２の電極の間の電圧差に基づいて決定され、各行の表示手段はその行に唯一の共通の第１の電極を共有し、各列の表示手段はその列に唯一の共通の第２の電極を共有し、
列データを前記表示する手段の列にスイッチする手段と、前記列データをスイッチする手段は、各列データをスイッチする手段が前記表示する手段の列のうちの１つに合わせて配置されるように、追加的な行として形成され、各列データをスイッチする手段は、列データをスイッチする手段が配置される列の共通の第２の電極に接続され、
行データを前記表示する手段の行にスイッチする手段と、前記行データをスイッチする手段は、各行データをスイッチする手段が前記表示する手段の行のうちの１つに合わせて配置されるように、追加的な列として形成され、各行データをスイッチする手段は、行データをスイッチする手段が配置される行の共通の第１の電極に接続され、
を具備する表示装置。
【請求項１３】
前記スイッチする手段のうちの少なくとも１つは、変形可能なレイヤーであり、前記変形可能なレイヤーは前記共通の第１の電極のうちの１つ或いは前記共通の第２の電極のうちの１つのいずれかを含む請求項１２記載の装置。
【請求項１４】
各列データをスイッチする手段は、列データをスイッチする手段が他の回路に接続される前記共通の第２の電極に電気的にかつ選択的に接続され、かつ前記共通の第２の電極を電気的に３状態にするように構成され、各行データをスイッチする手段は、行データをスイッチする手段が他の回路に接続される前記共通の第１の電極に電気的にかつ選択的に接続され、かつ前記共通の第１の電極を電気的に３状態にするように構成される請求項１２記載の装置。
【請求項１５】
前記表示する手段は、ＭＥＭＳ表示エレメントの行及び列を有するＭＥＭＳ表示部を有する請求項１２記載の装置。
【請求項１６】
前記行及び列データをスイッチする手段は、前記表示する手段に隣接して形成される複数のＭＥＭＳスイッチを有する請求項１２記載の装置。
【請求項１７】
ＭＥＭＳ表示エレメントの行及び列を有するＭＥＭＳ表示部と、前記表示部に隣接するＭＥＭＳスイッチエレメントの１つ以上の追加的な行又は列として形成された複数のＭＥＭＳスイッチとを具備する表示装置上にイメージを表示する方法において、
ＭＥＭＳ表示エレメントの行及び列上に表示するためのイメージデータを提供し、
ＭＥＭＳ表示エレメントの列のＭＥＭＳ表示エレメントのためのイメージデータを各ＭＥＭＳ列スイッチが前記表示部の列のうちの１つに合わせて配置されるように、前記表示部に隣接するＭＥＭＳエレメントの追加的な行として形成された複数のＭＥＭＳ列スイッチのうちの１つにスイッチし、各ＭＥＭＳ列スイッチは、ＭＥＭＳ列スイッチが配列される表示部列の共通の第２の電極に接続され、
駆動回路を、各ＭＥＭＳ行スイッチが表示部の行のうちの１つに合わせて配置されるように前記表示部に隣接するＭＥＭＳエレメントの追加的な列として形成された複数のＭＥＭＳ行スイッチのうちの１つを有するＭＥＭＳ表示エレメントの行に接続し、各ＭＥＭＳ行スイッチは前記ＭＥＭＳ行スイッチが配置される表示部行の共通の第１の電極に接続される方法。
【請求項１８】
少なくとも１つのスイッチは、変形可能なレイヤーを有し、前記変形可能なレイヤーは、前記共通の第１の電極のうちの１つ或いは前記共通の第２の電極のうちの１つのいずれかを含む請求項１７記載の方法。
【請求項１９】
前記ＭＥＭＳ列スイッチにより、選択的かつ電気的に前記共通の第２の電極を他の回路に接続し、前記共通の第２の電極を電気的に３状態にし、
前記ＭＥＭＳ行スイッチにより、選択的かつ電気的に前記共通の第１の電極を他の回路に接続し、前記共通の第１の電極を電気的に３状態にすることをさらに具備する請求項１７記載の方法。
【請求項２０】
イメージデータをスイッチすることは、変形可能な空隙内において変形可能レイヤーを動かすことを含み、前記レイヤーは前記レイヤーと電極との間の電圧に応答し、第１及び第２の端子は選択的に接続可能である請求項１７記載の方法。
【請求項２１】
ＭＥＭＳ表示装置の製造方法において、
基板上にＭＥＭＳ表示エレメントの行及び列を形成し、前記各ＭＥＭＳ表示エレメントの状態は、第１及び第２の電極の間の電圧差に基づいて決定され、各行のＭＥＭＳ表示エレメントは、その行に唯一の共通の第１の電極を共有し、各列のＭＥＭＳ表示エレメントは、その列に唯一の共通の第２の電極を共有し、
各ＭＥＭＳ列スイッチが列のうちの１つに配置されるように行及び列に隣接するＭＥＭＳエレメントの追加的な行としての複数のＭＥＭＳ列スイッチを形成し、各ＭＥＭＳ列スイッチはＭＥＭＳ列スイッチが配列される列の共通の第２の電極に接続され、
各ＭＥＭＳ行スイッチが行のうちの１つに配置されるように行及び列に隣接するＭＥＭＳエレメントの追加的な列としての複数のＭＥＭＳ行スイッチを形成し、各ＭＥＭＳ行スイッチはＭＥＭＳ行スイッチが配列される行の共通の第１の電極に接続される方法。
【請求項２２】
前記表示エレメントを形成するステップ及び前記複数のＭＥＭＳスイッチを形成するステップは、少なくともいくつかの共通の処理ステップの実行を含む請求項２１記載の方法。
【請求項２３】
少なくとも１つのスイッチは、変形可能なレイヤーを含み、前記変形可能なレイヤーは、前記共通の第１の電極のうちの１つ或いは前記共通の第２の電極のうちの１つのいずれかを含む請求項２１記載の方法。
【請求項２４】
請求項２１記載の方法を使用して形成されたＭＥＭＳ表示装置。
【請求項２５】
ＭＥＭＳ表示装置の製造方法において、
基板上にＭＥＭＳ表示エレメントの行及び列を形成し、前記各ＭＥＭＳ表示エレメントの状態は、第１及び第２の電極の間の電圧差に基づいて決定され、各行のＭＥＭＳ表示エレメントは、その行の共通の第１の電極を共有し、各列のＭＥＭＳ表示エレメントは、その列の共通の第２の電極を共有し、
同じ或いは異なる基板上にＭＥＭＳスイッチの行及び追加的な列を形成し、前記ＭＥＭＳスイッチの少なくともいくつかは前記表示装置に接続され、追加的な行の各ＭＥＭＳスイッチは信号をＭＥＭＳ表示エレメントの列のうちの１つの列のＭＥＭＳ表示エレメントへスイッチするように構成され、追加的な行のスイッチは前記追加的な行の共通の行電極を共有し、追加的な列の各ＭＥＭＳスイッチは信号をＭＥＭＳ表示エレメントの行のうちの１つの行のＭＥＭＳ表示エレメントへスイッチするように構成され、追加的な列のスイッチは前記追加的な列の共通の列電極を共有する方法。
【請求項２６】
前記表示エレメント及び複数のＭＥＭＳスイッチを形成するステップは、すくなくともいくつかの共通の処理ステップを含む請求項２５記載の方法。
【請求項２７】
前記ＭＥＭＳ表示エレメント及び前記ＭＥＭＳスイッチは共通のガラス基板上に形成される請求項２６記載の方法。
【請求項２８】
請求項２７記載の方法を使用して形成されたＭＥＭＳ表示装置。